(57)【要約】【課題】睡眠導入時に身体の状態を意図的にリラックスした状態に作り上げることで、寝付き良く快適な睡眠が得られるスライド式二段枕を提供する。【解決手段】第一の枕体１、前記第一の枕体１の上部に載置される第二の枕体２、及び、前記第一の枕体１と前記第二の枕体２を連結する連結体３、を含み、前記第二の枕体２に略上方からの荷重が加わると、前記第二の枕体２が前記第一の枕体１の斜め下方にスライドする構成とする。スライド式二段枕Ｐに頭部を載せると、第二の枕体２が第一の枕体１の斜め下方にスライドし、主に頭部との接点がずれ、身体の頭頚部が伸びるため、緊張状態が一気に解放されて、リラックスした状態に移行し、寝付き良く快適な睡眠を可能としたものである。【選択図】図３
2015202201.tif 000002
【特許請求の範囲】
【請求項１】
第一の枕体、前記第一の枕体の上部に載置される第二の枕体、及び、前記第一の枕体と前記第二の枕体を連結する連結体、を含み、
前記第二の枕体に略上方からの荷重が加わると、前記第二の枕体が前記第一の枕体の斜め下方にスライドすること、
を特徴とするスライド式二段枕。
【請求項２】
前記第一の枕体において少なくとも前記第二の枕体と接する部分、及び、前記第二の枕体において少なくとも前記第一の枕体と接する部分が曲面状であること、を特徴とする請求項１に記載のスライド式二段枕。
【請求項３】
前記連結体が伸縮性を有し、前記第二の枕体に加わった略上方からの荷重が抜けると、前記第二の枕体が前記第一の枕体の上部に再び戻って載置されること、を特徴とする請求項１又は２に記載のスライド式二段枕。
【請求項４】
前記第一の枕体と前記第二の枕体とが、それぞれの両端部において、第一の連結体と第二の連結体により連結されていること、を特徴とする請求項１〜３のうちのいずれかに記載のスライド式二段枕。
【発明の詳細な説明】
【技術分野】
【０００１】
本発明は、快適な睡眠を提供するための枕に関し、更に詳しくは、枕に頭部を載せるだけで、頭部や首だけではなく身体全体の状態をリラックスした状態に直ぐに移行させて睡眠し易くすることのできるスライド式二段枕に関する。
【背景技術】
【０００２】
昨今、空前の健康ブームを背景に、巷には、健康食品や健康器具等、健康に関連する商品が溢れている。人々の健康への関心が高まるなか、健康を維持・促進するには、快適な睡眠が欠かせないことから、快眠や安眠を謳った商品も数多く販売されている。
【０００３】
快適な睡眠を得るには、寝具のなかでも、とりわけ枕が重要な位置を占める。かかる事情から、枕に関する特許出願や実用新案登録出願も数多くなされている。その一つとして、例えば特許文献１（実開平０６−０１５５７０号公報）においては、蕎麦殻を充填したスティック状の袋体を複数個並べ、該袋体を枕カバーで覆ったスティック式清潔蕎麦殻枕が提案されている。
【０００４】
上記特許文献１のスティック式清潔蕎麦殻枕は、スティック状の袋体の大きさ（直径）や充填する蕎麦殻の量を調整することで、高さや硬さを自分好みにすることができ、スティック状の袋体を定期的に紫外線に当てて乾燥させることで清潔を保てるようにしたものである。
【０００５】
また、快適な睡眠を得るため、例えば特許文献２（実開平０５−０６８３７１号公報）においては、前から約３分の１進んだ箇所に、くぼみを設けたような形状に特徴のある２段式枕が提案されている。
【０００６】
上記特許文献２の２段式枕は、くぼみ部分に頭部を載せると、頭部が包み込まれるような感覚となって安眠を確保することができ、結果、いびきや肩こりが防止される。
【先行技術文献】
【特許文献】
【０００７】
【特許文献１】実開平０６−０１５５７０号公報
【特許文献２】実開平０５−０６８３７１号公報
【発明の概要】
【発明が解決しようとする課題】
【０００８】
上記のように、快適な睡眠を得るため、形状や素材等に工夫を凝らした枕は種々提案されているが、その恩恵を受けるのは実際に寝ているとき（就寝中）が大半である。周知のように、複雑に入り組みあった現代社会のなかで人々は様々なストレスを抱えており、ストレスが酷くなってくるとベッドや布団に入ってもなかなか寝付けないのが現状である。このように睡眠導入時の寝付きが悪いと、当然の如く、寝不足となり、せっかく快適な睡眠を得るため形状等に工夫を凝らした枕であってもその意義が半減するともいえる。このような問題があるにも拘らず、睡眠導入時に着目して寝付きを良くすることを試みた枕は、現在のところ見当たらない。
【０００９】
本発明は上記のような問題に鑑みてなされたもので、その解決しようとする課題は、睡眠導入時に身体の状態を意図的・積極的にリラックスした状態にすることで、寝付き良く快適な睡眠が得られることを可能とする枕を提供することにある。
【課題を解決するための手段】
【００１０】
上記目的を達成するため、本発明は、第一の枕体、前記第一の枕体の上部に載置される第二の枕体、及び、前記第一の枕体と前記第二の枕体を連結する連結体、を含み、前記第二の枕体に略上方からの荷重が加わると、前記第二の枕体が前記第一の枕体の斜め下方にスライドすること、を特徴とするスライド式二段枕を提供するものである。
【００１１】
このような構成を有する本発明のスライド式二段枕においては、寝るために頭部を第一の枕体の側から第二の枕体に向けて降ろしてきた場合に、頭部がまず第二の枕体に接触するが、この第二の枕体は頭部を降ろすにしたがって、第一の枕体の斜め下方にスライドする。このスライドにより、頭部を支える点がずらされて、それによって、身体全体の緊張を解き、睡眠導入時に身体の状態を意図的にリラックスした状態として、寝付きを良くし、牽いては、快適な睡眠を得ることができる。
【００１２】
上記のような構成を有する本発明のスライド式二段枕においては、前記第一の枕体において少なくとも前記第二の枕体と接する部分、及び、前記第二の枕体において少なくとも前記第一の枕体と接する部分が曲面状であることが好ましい。
【００１３】
また、上記のような構成を有する本発明のスライド式二段枕においては、前記連結体が伸縮性を有し、前記第二の枕体に加わった略上方からの荷重が抜けると、前記第二の枕体が前記第一の枕体の上部に再び戻って載置されることが好ましい。
【００１４】
更に、上記のような構成を有する本発明のスライド式二段枕においては、前記第一の枕体と前記第二の枕体とが、それぞれの両端部において、第一の連結体と第二の連結体により連結されていることがより好ましい。
【発明の効果】
【００１５】
上記の本発明のスライド式二段枕は、睡眠導入時に身体の状態を意図的にリラックスした状態とすることで、寝付きを良くし、牽いては、快適な睡眠を得ることができるようにしたものである。一般的に、人の身体は、緊張すると部分的又は全体的に力が入り、力が入ると多かれ少なかれ身体全体が縮んでしまう。これとは反対に、リラックスした状態では、力が抜けて身体全体は弛緩して伸びている。本発明は、人のこのような身体的特徴を利用することで、睡眠導入時に身体の状態を意図的・積極的にリラックスした状態に移行させ、寝付き良く快適な睡眠を可能としたものである。
【図面の簡単な説明】
【００１６】
【図１】本発明の一実施形態に係るスライド式二段枕を示すものであって、第二の枕体に荷重が加わる前の斜視図である。
【図２】同二段枕を示すものであって、第二の枕体に荷重が加わっている状態の斜視図である。
【図３】同二段枕を示すものであって、（ａ）は同二段枕に頭部を載置する前の側面図、（ｂ）は同二段枕に頭部を載置している状態の側面図である。
【発明を実施するための形態】
【００１７】
以下、図面を参照して本発明のスライド式二段枕の代表的な実施形態をその構造及び作用に着目して詳述する。
【００１８】
（１）構造
図１に示す本発明のスライド式二段枕Ｐは、睡眠導入時に身体の状態を意図的・積極的にリラックスした状態に作り上げることで、寝付き良く快適な睡眠が得られるように開発されたもので、第一の枕体１と、第一の枕体１の上部に載置される第二の枕体２から構成されている。
【００１９】
上記第一の枕体１は、通常の枕と同様に、枕カバーの内部にクッション材が充填されたもので、図３に示すように、その側面形状は、頭部を載置しても押し潰され難い略馬蹄型（換言すると、略台形状）に形成されている。上記のように、本発明のスライド式二段枕Ｐは、第一の枕体１と第二の枕体２の２つから構成されているため、その長さ（図１における「Ｌ」）は通常の枕と同程度であるが、幅（奥行き、図１における「Ｗ」）は、通常の枕の約半分程度となっている。この第一の枕体１の高さ（図１における「Ｈ」）は、使用する人の好みに合わせて調整すればよく、頭部を載せた際の高さ（沈み込みも勘案した高さ）が概ね１〜５ｃｍ程度となる枕が一般的に好まれる。
【００２０】
上記枕カバーは、どのような材質のものでも構わないが、第一の枕体１と第二の枕体２とが互いに摺動し易い素材を選択することが好ましく、肌触りや清潔感などを考慮すると、綿やポリエステル製、又は、その混合素材のものが好適に用いられる。
【００２１】
また、内部に充填されるクッション材は、種々の物が考えられ、使用する人の好みで決定すればよい。即ち、ボリューム感があり柔らかめの枕が好みの人には、ポリエステル綿素材を選択し、通気性や吸湿性を重視し硬めの枕が好みの人には、蕎麦殻や籾殻を選択し、通気性や耐久性、清潔感を求める人には、パイプ・ストロー素材を選択し、フィット感や体圧分散効果を求める人には、低反発ウレタン素材を選択し、吸湿・保温・発散性や高級感を求める人には、羽根素材を選択し、独特の触り心地や不思議な感触を求める人には、ビーズ素材を選択し、香りや防湿防虫効果を求める人には、檜や炭素材などを選択すればよい。
【００２２】
上記第一の枕体１の上部には、頭部を載せていない使用前の状態では、図３の（a）に示すように、次に説明する第二の枕体２が載置されることになり、頭部を載せている使用中の状態（睡眠中）では、図３の（ｂ）に示すように、主に頭部の下半分から首筋部分が載せられることになる。
【００２３】
使用前の状態において、上記第一の枕体１の上部に載置される第二の枕体２は、本実施形態では、第一の枕体１と材質や高さ等の構成が同じものであるので、その説明は省略するが、もちろん、材質や高さ等を第一の枕体１と異なるものとしてもよいことは言うまでもなく、特に、高さに関しては、第一の枕体１よりも低いと、頭下がりの状態になって頭部に血が昇るので好ましくない。したがって、第二の枕体２の高さは、少なくとも第一の枕体１と同じか、少し高い程度が好ましい。睡眠中、この第二の枕体２には、図３の（ｂ）に示すように、概ね頭部の上半分が載せられることから、この第二の枕体２の内部に充填されるクッション材を、前述した第一の枕体１と異なるものにして、寝やすさを追求することもできる。
【００２４】
以上のような構成の第一の枕体１と第二の枕体２とは、図１及び図２に示すように、それぞれの両端部において、第一の連結体３Ａ及び第二の連結体３Ｂにより連結されている。この第一の連結体３Ａ及び第二の連結体３Ｂ（総称して連結体３という。）は、伸縮性を有する素材で形成された方形の帯体であり、第一の枕体１と第二の枕体２の幅方向の一端部（右側端部）に第一の連結体３Ａを貼着すると共に、第一の枕体１と第二の枕体２の幅方向の他端部（左側端部）に第二の連結体３Ｂを貼着することで、第一の枕体１と第二の枕体２が分離することなく連結されている。このように、通常、頭部を載せることがない第一の枕体１と第二の枕体２の両端部で、第一の枕体１と第二の枕体２を連結することで、睡眠時に頭部が連結体３に触れることがなくなり、快適に睡眠することができるようになる。
【００２５】
また、１つの連結体３で連結した場合と比較すると、後述するが、第二の枕体２が安定した軌道で第一の枕体１の斜め下方にスライドするようになり、より一層リラックスした状態に移行し易くなる。この連結体３の第一の枕体１、第二の枕体２への貼着は、縫合による貼着、接着剤による貼着、熱溶着による貼着等、連結体３が第一の枕体１及び第二の枕体２に確実に貼着できる方法であれば、特に限定されるものではない。
【００２６】
上記のように、連結体３は伸縮性を有する素材で形成されている。これは、連結体３が、第一の枕体１と第二の枕体２を単に連結する役割を果たすだけでなく、頭部を第二の枕体２から離すと、元の状態、即ち、図３の（ａ）に示すように、第一の枕体１の上部に載置された状態に戻す役割も果たすようにするためである。したがって、この連結体３には、第二の枕体２から頭部を離すと、第二の枕体２が第一の枕体１の上部に載置された状態まで戻るだけの復元力が求められる。
【００２７】
復元力が強いものとしては、第一にゴムが挙げられるが、ゴムのみの連結体３では、上記のように、通常、頭部には触れない箇所に貼着されているとは言うものの、寝返りを打った際などに、連結体１に髪の毛が引っ付いたりする等の不具合が生じる。また、余りに復元力が強いと、第二の枕体２に頭部を載置しても、上方に持ち上げられるような感覚となって快適な睡眠は得られない。これらを勘案すると、連結体３には、適度な復元力を有する不織布とゴム弾性材料とを接合させた複合素材を用いることが好ましい。
【００２８】
上記のように、伸縮性を有する連結体３により、第一の枕体１と第二の枕体２を連結すると、第一の枕体１と第二の枕体２はお互いを引っ張り合って、図３の（ａ）に示すように、第二の枕体２は第一の枕体１の上部に載置された状態となる。この状態から、第二の枕体２に略上方からの荷重を加える、換言すれば、第二の枕体２に頭部を載せると、図３の（ｂ）に示すように、第二の枕体２は第一の枕体１の斜め下方にスライドする。第二の枕体２を第一の枕体１の斜め下方へスムーズにスライドさせるには、第一の枕体１において少なくとも第二の枕体２と接する部分、及び、第二の枕体２において少なくとも第一の枕体１と接する部分が曲面状であることが望ましく、この点において、本実施形態の第一の枕体１及び第二の枕体２の側面形状は、上記のように、スライドするのに好適な略馬蹄型に形成されているので、引っ掛かることなくスムーズに斜め下方にスライドする構成となっている。
【００２９】
第二の枕体２をスムーズにスライドさせるためには、この他にも、第一の枕体１と第二の枕体２が接する部分を摩擦係数の低い素材にする方法や、曲面状に形成すると共に摩擦係数の低い素材にする方法などが考えられる。そして、略上方からの荷重が抜ける、即ち、頭部を第二の枕体２から離すと、第二の枕体２は第一の枕体１の上部に載置された元の状態に戻るので、起床後又は就寝前に、再び第一の枕体１の上部に第二の枕体２を載置するという手間が省ける。なお、ここでいう略上方からの荷重とは、斜め上方から加わる荷重も含む広い概念である。
【００３０】
（２）作用効果
次に、以上のような構成の本発明のスライド式二段枕Ｐを用いて就寝すると、如何にして、睡眠導入時に身体の状態が意図的・積極的にリラックスした状態に作り上げられて、寝付き良く快適な睡眠が得られるのかを説明する。
【００３１】
前述したように、一般的に、人は緊張すると身体に力が入り、力が入ると身体は縮んでしまう。これとは反対に、リラックスした状態では、力が抜けて身体は弛緩して伸びている。周知のように、緊張した状態では寝付きが悪く、リラックスした状態にならないと、なかなか寝付けるものではない。本発明のスライド式二段枕Ｐは、人のこのような身体的特徴を利用することで、睡眠導入時に身体の状態を意図的・積極的にリラックスした状態に移行させて、寝付き良く快適な睡眠を可能としたものである。
【００３２】
即ち、本発明のスライド式二段枕Ｐは、第一に、頭が接する部分を意図的にずらすことにより、身体全体の緊張感を解き、第二に、身体の主に頭頚部（後頭部から頚椎にかけての部分）を伸ばすことで、脳にリラックスしている状態であることを認識させて、副交感神経の働きを活発にし、眠気を誘うようにしたものである。このため、本発明のスライド式二段枕Ｐは、前述したように、第一の枕体１と第二の枕体２の２つを用いて、第二の枕体２に略上方からの荷重が加わると、第二の枕体２が第一の枕体１の斜め下方にスライドするようにしている。
【００３３】
このような構成のスライド式二段枕Ｐにおいて、寝る際に第二の枕体２に頭部を載せると（即ち、図３の（ａ）の点Ｘにおいて、後頭部が第二の枕体２に接すると）、第二の枕体２は第一の枕体１の周面に沿いながら斜め下方にスライドし、頭部はその第二の枕体２を押すように追従することになる。頭部が第二の枕体２に追従すると、図３の（ｂ）に示すように、第一に、頭部は、点Ｘとは異なる点Ｙ１及びＹ２においてそれぞれ第一の枕体１及び第二の枕体２と接し、このように接点がずれることにより、身体全体の緊張感が解ける。
【００３４】
第二に、これと同時に、頭頚部が伸び、上記のように、頭頚部が伸びると、副交感神経の働きが活発化するので、眠気が誘発され易くなる。この副交感神経は、特に、緊張状態から急激にリラックス状態に移行すると、活発に働くとも言われている。これは、息を吸い込みながら肩を上方に持ち上げるように力を込めたのち、吸い込んだ息を一気に吐き出すと同時に肩の力を抜くと、リラックスできるのをイメージするとわかりやすい。この点において、本発明のスライド式二段枕Ｐは、第一の枕体１の上部に第二の枕体２を載置した二段式の枕なので、略上方からの荷重が加わっていない状態では、一般的な枕よりも全高が高く、従って、第二の枕体２に頭部を載せようとすると、図３の（ａ）に示すように、一般的な枕よりも頭部を持ち上げる力が必要となる。また、同時に身体を縮める必要もあるので、身体は一時的に緊張状態になる。
【００３５】
上記のような緊張状態は、第二の枕体２がスライドして主に頭部との接点がずれることと身体の中の頭頚部（後頭部から頸椎にかけての部分）が伸びることとで、一気に解放され、直ぐにリラックスした状態に移行することができる。しかも、本発明のスライド式二段枕Ｐは、上記のように、第一の枕体１と第二の枕体２が接する部分を、スライドし易い曲面状に形成しており、それに加えて、第一の連結体３Ａと第二の連結体３Ｂの２つの連結体３により、第一の枕体１と第二の枕体２を連結しているため、１つの連結体３のみで連結した場合と比較すると、第二の枕体２が安定した軌道で第一の枕体１の斜め下方にスライドし、また、その際の抵抗感（引っ掛かり感）も殆どないため、より早期にリラックスした状態に移行することができる。
【００３６】
上記のように、本発明のスライド式二段枕Ｐは、第二の枕体２に頭部を載せるだけで、リラックスした状態となり、直ぐに寝付くことができるものである。そして、就寝中は、図３の（ｂ）に示すように、第一の枕体１と第二の枕体２との間にくぼみが形成されるので、そのくぼみ部分に頭部を載せると、頭部が包み込まれるような感覚となって熟睡することができる。
【００３７】
もちろん、第一の枕体１と第二の枕体２は、伸縮性を有する２本の連結体３（３Ａ，３Ｂ）により連結されていることから、就寝中に第一の枕体１と第二の枕体２が分離してしまうことはなく、第二の枕体２に加えていた荷重を抜く、換言すれば、頭部をスライド式二段枕Ｐから離すと、第二の枕体２が第一の枕体１の上部に戻るため、起床後又は就寝前に、再び第一の枕体１の上部に第二の枕体２を載置するという手間が省ける。このように、本発明のスライド式二段枕Ｐでは、睡眠導入時に身体の状態を意図的・積極的にリラックスした状態に作り上げることで、寝付きを良くし、快適な睡眠を得ることができる。
【００３８】
以上、本発明の代表的な実施形態を詳述してきたが、本発明のスライド式二段枕Ｐは、これに限定されるものではなく、第二の枕体２に略上方からの荷重が加わると、第二の枕体２が第一の枕体１の斜め下方にスライドすることにより、頭部との接点をずらし、かつ、頭頚部を伸ばすことにより、身体全体の緊張感を解き得るものであれば、種々の設計変更を許容し得るものである。
【００３９】
例えば、上記実施形態においては、第一の枕体１及び第二の枕体２の断面が略馬蹄型の場合について説明したが、本発明の作用効果を奏するのであれば、例えば、第一の枕体１及び第二の枕体２の断面形状を円形状や楕円形状、略矩形状にしたり、第一の枕体１と第二の枕体２を異なる形状（例えば第一の枕体１を楕円形状にして第二の枕体２を円形状にする等）にする等の設計変更は、本発明の技術的範囲に含まれる。
【符号の説明】
【００４０】
Ｐ    スライド式二段枕
１    第一の枕体
２    第二の枕体
３    連結体
３Ａ  第一の連結体
３Ｂ  第二の連結体
【図１】
2015202201.tif 000003
【図２】
2015202201.tif 000004
【図３】
2015202201.tif 000005